(57)【特許請求の範囲】
【請求項１】
両側面板、上面板、底面板とからなる長さ方向、幅員方向、高さ方向に適宜の寸法の鋼製中空筒体を形成し、両側面板、上面板、底面板に植栽用穴を開口するとともに、鋼製中空筒体の内部で、底面板上方に間隔を設けてメッシュ状板を位置させてなることを特徴とする植栽用鋼製高欄。
【請求項２】
鋼製中空筒体内部に設置される補強板に植栽用穴を開口してなることを特徴とする請求項１に記載の植栽用鋼製高欄。
【請求項３】
両側面板、上面板、底面板とからなる長さ方向、幅員方向、高さ方向に適宜の寸法の鋼製中空筒体からなり、両側面板、上面板、底面板に植栽用穴を開口するとともに、鋼製中空筒体の底面板に間隔を設けてメッシュ状板を位置させた植栽用鋼製高欄をメッシュ状板と底面板間に植栽用土を入れて路上に設置し、メッシュ状板を介して植栽することを特徴とする植栽方法。
【発明の詳細な説明】
【０００１】
【発明の属する技術分野】
本発明は、道路に設置される植栽用鋼製高欄及び植栽方法に関する。
【０００２】
【従来の技術】
通常、自動車が高速で走行する道路橋をはじめとする道路には、自動車が道路からはずれないように道路の両側、また、対向車線へ飛び出さないように互いに対向する車線間に、適宜の高さのコンクリート高欄が設置されている。このコンクリート高欄は見た目には随分と殺風景である。
【０００３】
そこで、近時、このコンクリート高欄の壁面に鋼製のかご状物を設置し、そこにハイネスブルーパシフィック等の樹木を植えた植木容器を入れての緑化策が講じられている。緑化策は樹木に炭酸ガスを吸収させるという地球温暖化防止策としても有意義である。
【０００４】
【発明が解決しようとする課題】
しかしながら、植物にとって、根は植木容器のみでしか土に接しないので、あまり長持ちしないという課題を有する。また、コンクリート高欄の壁面に設置されたかご状物は、たとえ道路幅員上の路側帯といえ、道路幅員をせばめるので無謀な運転者による接触の危険もある。
【０００５】
【課題を解決するための手段】
本発明は、上述のような課題を以下述べるところにより解決しようとするものである。
【０００６】
まずは、植栽に用いる鋼製高欄を提供する。
【０００７】
基本的には、両側面板、上面板、底面板とからなる長さ方向、幅員方向、高さ方向に適宜の寸法の鋼製中空筒体を形成し、両側面板、上面板、底面板に植栽用穴を開口するとともに、鋼製中空筒体の内部で、底面板上方に間隔を設けてメッシュ状板を位置させてなる植栽用鋼製高欄を提供する。
【０００８】
上記において、鋼製中空筒体内部に設置される補強板に植栽用穴を開口してなる植栽用鋼製高欄を提供する。
【０００９】
ついで、上記鋼製高欄を用いた植栽方法を提供する。
【００１０】
具体的には、両側面板、上面板、底面板とからなる長さ方向、幅員方向、高さ方向に適宜の寸法の鋼製中空筒体からなり、両側面板、上面板、底面板に植栽用穴を開口するとともに、鋼製中空筒体の底面板に間隔を設けてメッシュ状板を位置させた植栽用鋼製高欄をメッシュ状板と底面板間に植栽用土を入れて路上に設置し、メッシュ状板を介して植栽する植栽方法を提供する。
【００１１】
【発明の実施の形態】
つぎに、本発明の実施の形態を図面に基づき説明する。
【００１２】
図１乃至図６は、植栽用鋼製高欄の実施の形態を示すそれぞれ正面図、平面図、右側面図、図１のＣ−Ｃ断面図、図１のＢ−Ｂ断面図、図１のＥ−Ｅ断面図である。
【００１３】
向い合う側面板１、２は、道路の長さ方向に適宜の長さと高さを有し、側面板１は、上端方に側面板２方向に適宜の幅員で延伸する上面板３が折曲して形成され、側面板２は、上端方に側面板１から延伸する上面板３に溶接等により結合する結合代２ａが折曲して形成されている。向い合う側面板１、２は、正面において、下方への裾広がりになり、下方で垂直状になっているが、このような形状に限定されるものではない。
【００１４】
底面板４は、道路の長さ方向に適宜の長さ、普通は側面板と同じ長さを有するとともに、両側面板１、２の幅を有する。
【００１５】
向い合う側面板１、２は、上端部において、上面板３の端部と側面板２の上端部に形成された結合代２ａとを溶接等にり結合され、下端部において、底面板４をはさんで、底面板４から立ち上げた結合板４ａ、４ｂに連結ボルト５、６、ナット７、８によってボルト結合され全体として中空筒体を形成する。底面板４は後述するように据付板としての機能を有する。
【００１６】
本発明において、両側面板１、２、上面板３、底面板４はいずれも鋼製である。
【００１７】
この実施の形態では、両側面板１、２の外側にそれぞれ鋼製縁石９、１０が、内側に固着されたピン２７を両側面板１、２の外側に固着されたピン受け２８に嵌合されて一体となっている。
【００１８】
この鋼製縁石９、１０は、前面がいずれも斜面に形成されており、自動車が高欄に衝突したとき、タイヤが斜面に乗り上げることにより、衝突によるはね返りを緩和する役割をする。
【００１９】
上記のような鋼製中空筒体の両側面板１、２、上面板３、底面板４には植栽用穴１１、１２、１３、１４が形成される。底面板４には後述する据付ボルトを挿通するためのアンカーボルト穴２１が開口されている。
【００２０】
両側面板１、２、上面板３に形成した植栽用穴１１、１２、１３は後述する植栽したときに植物の葉や枝を外に出すためのものであり、底面板４に形成した植栽用穴１４は同じく植栽したときに植物の根を外に出すためのものである。
【００２１】
１５はメッシュ状板で、この実施の形態では、エキスパンドメタルを用いている。このメッシュ状板１５は、鋼製中空筒体の内部で底面板４との間に間隔を設け両側面板１、２間に、この実施の形態では両側を両側面板１、２にそれぞれ溶接されて位置している。本発明においてメッシュ状板１５は好ましい例の一つである。
【００２２】
１６は鋼製中空筒体の必要に応じて設置される補強板で、両側面板１、２の長さ方向に適宜の間隔で溶接等により固着されている。この補強板１６にも植栽用穴１７が開口されている。この植栽用穴１７は植物の育成に必要な空気流通用のものである。
【００２３】
１８は仕切板で補強板の役割を持つ。補強板１６と同様に適宜の間隔で必要に応じて設置される。
【００２４】
このようにして、全体として鋼製中空筒体からなる植栽用鋼製高欄が形成される。
【００２５】
つぎに、図７に基づき、本発明に係る植栽用鋼製高欄の設置方法と植栽方法を説明する。
【００２６】
まず、基礎ブロック２０が路中に設置され、基礎ブロック２０上に鋼製中空筒体を形成する。両側に結合板４ａ、４ｂを一体とし、仕切板１８を取り付けた底面板４がアンカーボルト２２とナット２６によって結合される。アンカーボルト２２は基礎ブロック２０に底面側より上面側に突出させて埋設され、鋼製中空筒体を形成する。底面板４がボルト穴２１を介して位置したとき、図示していないがナット２６により締結されるようになっている。基礎ブロック２０は、長手方向に延伸し、底面板４に開口されている植栽用穴１４と同じ位置に同様の植栽用穴２０ａが開口されている。
【００２７】
ついで、両側面板１、２、上面板３、メッシュ状板１５、補強板１６を一体とした部が、底面板４に取り付けられ結合板４ａ、４ｂの外側から被せられて、その両側に鋼製縁石９、１０を沿わせて、連結ボルト５、６、ナット７、８によりボルト結合される。底面板４とメッシュ状板１５間には、植栽用土２３が入れられている。植栽用土２３は、底面板４を基礎ブロック２０を据付後に入れてもよく、全体を組み立ててから入れてもよい。
【００２８】
植物はメッシュ状板１５を用いていない植栽用鋼製高欄の場合は、植栽用土に直接植え付けることもできるが、この実施の形態のように、メッシュ状板１５を用いている植栽用鋼製高欄の場合は、底に根を外に出すための開口部を形成した植木容器２４に植物２５を植えたものを用いると便利である。
【００２９】
植物２５を植えた植木容器２４をメッシュ状板１５の上に置き、葉や枝を両側面板１、２、上面板３に形成された植栽用穴１１、１２、１３から外側に出すとともに根の成長に伴い、根を植栽用土２３、底面板４に形成された植栽用穴１４、基礎ブロック２０に形成した植栽用穴２０ａから出るようにしておく。
【００３０】
このようにして植栽方法は実施される。
【００３１】
そして、図８に示すような複数の植栽用高欄からなり、植栽方法が実施された景観が得られるようになる。
【００３２】
【発明の効果】
本発明は上述のようにしてなるので、つぎの効果を有する。
【００３３】
本発明の特有の効果として、鋼製高欄の新規な構造を用いることにより、容易に道路上の緑化を行うことを可能とする。
【００３４】
緑化に伴う効果として、排出される炭酸ガスを植物に吸収させることにより地球温暖化防止のための一助とすることができる。
【００３５】
高欄が鋼製の中空筒体により形成される効果として、コンクリート高欄に比し全体として軽量であるため、道路橋に設置されたときは、死荷重の減少を図ることができる。
【図面の簡単な説明】
【図１】  本発明に係る植栽用鋼製高欄の実施の形態を示す正面図である。
【図２】  本発明に係る植栽用鋼製高欄の実施の形態を示す平面図である。
【図３】  本発明に係る植栽用鋼製高欄の実施の形態を示す右側面図である。
【図４】  図１のＣ−Ｃ断面図である。
【図５】  図１のＢ−Ｂ断面図である。
【図６】  図１のＥ−Ｅ断面図である。
【図７】  本発明に係る植栽用鋼製高欄の据付け及び植栽の実施の形態を示す正面図である。
【図８】  本発明を実施した後の景観図である。
【符号の説明】
１    側面板
２    側面板
２ａ  結合代
３    上面板
４    底面板
４ａ  結合板
４ｂ  結合板
５    連結ボルト
６    連結ボルト
７    ナット
８    ナット
９    鋼製縁石
１０    鋼製縁石
１１    植栽用穴
１２    植栽用穴
１３    植栽用穴
１４    植栽用穴
１５    メッシュ状板
１６    補強板
１７    植栽用穴
１８    仕切板
２０    基礎ブロック
２０ａ  植栽用穴
２１    アンカーボルト穴
２２    アンカーボルト
２３    植栽用土
２４    植木容器
２５    植物
２６    ナット
２７    ピン
２８    ピン受け
【図１】
0003713478.tif 000002
【図２】
0003713478.tif 000003
【図３】
0003713478.tif 000004
【図４】
0003713478.tif 000005
【図５】
0003713478.tif 000006
【図６】
0003713478.tif 000007
【図７】
0003713478.tif 000008
【図８】
0003713478.tif 000009